(57)【要約】【課題】狭いスペースでも利用でき、簡単に運動ができ、短時間で足や全身の血行を良くすることが可能な運動器具及び浴槽型運動器具の提供。【解決手段】床用接地部１と壁用接地部２と両者を接続する胴部３とからなり、胴部３の中央部にクランク４が設けられ、クランク４の両端にペダル５を備える。クランク４は胴部３の取付け位置を調整し設置ができ、接地部先端７には滑り止め加工が施されている。また、ペダル５に内蔵した加速度センサー９により活動データを記録する機能を有する。利用者が臀部を床面につけ足を前方に押し出し、ペダル５を動かすことで運動する器具。【選択図】  図１
2017012276.tif 000002
【特許請求の範囲】
【請求項１】
床用接地部と壁用接地部と両者を接続する胴部とからなり、胴部の中央部にクランクが設けられ、クランクの両端にペダルが設けられたことを特徴とする運動器具。
【請求項２】
胴部に床用接地部又は壁用接地部が回転可能に取り付けられていていることを特徴とする請求項１記載の運動器具。
【請求項３】
胴部に複数のクランク取付け部を有することを特徴とする請求項１又は２に記載の運動器具。
【請求項４】
床用接地部又は壁用接地部の接地先端部が滑り止め加工されていることを特徴とする請求項１〜３のいずれか１項に記載の運動器具。
【請求項５】
ペダル内に加速度センサーと通信部を有し、外部端末へ加速度センサーで得られたデータを送信することを特徴とする請求項１〜４のいずれか１項に記載の運動器具
【請求項６】
浴槽内で使用することを特徴とする請求項１〜５のいずれか１項に記載の運動器具。
【請求項７】
胴部の中央部にクランクが設けられ、クランクの両端にペダルが設けられ、胴部の一端が浴槽の床に固定され、胴部の他端が浴槽の壁に固定されることを特徴とする浴槽型運動器具。
【発明の詳細な説明】
【技術分野】
【０００１】
本発明は、運動する際に使用される器具であって、狭いスペースでも例えば、少なくとも一部が浴槽に沈められて利用でき、効率よく血行を良くすることのできる運動器具及び浴槽一体となった浴槽型運動器具に関するものである。
【背景技術】
【０００２】
室内においては各種運動器具が使用されている。これらは筋力強化やダイエットなどのために器具が作られているため運動負荷が高く長時間行うことが難しいことがあった。
また、運動負荷を減らすために水中内で行う運動器具として、例えば特許文献１と特許文献２のように、水中で使用される運動器具が開示されている。
水中で運動する場合、身体に対して水の浮力が働くことで過剰な負荷がかかることがなく、無理なく運動することができる。
【０００３】
しかしながら、特許文献１と特許文献２に示されるような運動器具の場合、ある程度の利用スペースが必要であり、また大型器具の場合、使用できる水桶の環境が限られてしまうという問題点があった。
【先行技術文献】
【特許文献】
【０００４】
【特許文献１】特開平８−３０８８９９号公報
【特許文献２】特開２００９−０５６２３４号公報
【発明の概要】
【発明が解決しようとする課題】
【０００５】
本発明は狭いスペースでも利用でき、簡単に運動ができ、短時間で足や全身の血行を良くすることが可能な運動器具を提供することである。
【課題を解決するための手段】
【０００６】
本発明は、
（１）床用接地部と壁用接地部と両者を接続する胴部とからなり、胴部の中央部にクランクが設けられ、クランクの両端にペダルが設けられたことを特徴とする運動器具。
（２）胴部に床用接地部又は壁用接地部が回転可能に取り付けられていていることを特徴とする（１）に記載の運動器具。
（３）胴部に複数のクランク取付け部を有することを特徴とする（１）又は（２）に記載の運動器具。
（４）床用接地部又は壁用接地部の接地先端部が滑り止め加工されていることを特徴とする（１）〜（３）のいずれか１項に記載の運動器具。
（５）ペダル内に加速度センサーと通信部を有し、外部端末へ加速度センサーで得られたデータを送信することを特徴とする（１）〜（４）のいずれか１項に記載の運動器具
（６）浴槽内で使用することを特徴とする請求項（１）〜（５）のいずれか1項に記載の運動器具。
（７）胴部の中央部にクランクが設けられ、クランクの両端にペダルが設けられ、胴部の一端が浴槽の床に固定され、胴部の他端が浴槽の壁に固定されることを特徴とする浴槽型運動器具。
である。
【０００７】
本発明の運動器具とは、利用者が臀部を床面につけ足を前方に押し出すペダルを踏んで運動する、いわゆる自転車運動を行うための器具である。例えば、浴槽内においても臀部が底面につき足を回転運動させることを想定する。また、片手で持ち運ぶことができる重量であり、折りたたみ小型にすることも可能とする。また浴槽型運動器具については、リハビリテーションセンターや介護サービス付き住居等で家庭用の浴槽がなくても使用可能とする。
【０００８】
本発明の床用接地部はゴム材、樹脂材、金属材、繊維材、木材等で構成され、例えば浴槽でも使用できるサイズを想定して横幅が３５ｃｍ以下、重量やスペースを鑑みて太さ１０ｃｍ以下の構成が好ましく、サイズや強度に応じて材質を変えることができる。設置する床材は、部屋でよく用いられる、フローリング、コルク、畳、繊維、石、タイル、樹脂、ゴム、リノリウム、木材等や、浴槽でよく用いられる、ホーロー、ステンレス、人造大理石、ビニルエステル等に適用可能である。また表層又は素材には抗菌処理が施こすことにより、例えば浴場での黴発生を防止するためには好ましい。構造上胴部からの取り外し機構や、小型化のための折りたたみ機構を有してもよい。
壁用接地部はゴム材、樹脂材、金属材、繊維材、木材等で構成され、例えば浴槽でも使用できるサイズを想定して横幅が３５ｃｍ以下、重量やスペースを鑑みて太さ１０ｃｍ以下の構成が好ましく、サイズや強度に応じて材質を変えることができる。設置する壁材は、部屋でよく用いられる、フローリング、コルク、畳、繊維、石、タイル、樹脂、ゴム、リノリウム、木材等や、浴槽でよく用いられる、ホーロー、ステンレス、人造大理石、ビニルエステル等を想定する。また表層又は素材には抗菌処理が施こすことにより、例えば浴場での黴発生を防止するためには好ましい。構造上胴部からの取り外し機構や、小型化のための折りたたみ機構を有してもよい。
【０００９】
胴部はゴム材、樹脂材、金属材、繊維材、木材等で構成され、例えば浴槽でも使用できるサイズを想定して横幅が３５ｃｍ以下、重量やスペースを鑑みて太さ１０ｃｍ以下の構成が好ましく、サイズや強度に応じて材質を変えることができる。また表層又は素材には抗菌処理が施こすことにより、例えば浴場での黴発生を防止するためには好ましい。構造上小型化のための折りたたみ機構も有する。また、胴部に床用接地部や壁用接地部が一体になる機構を有してもよい。
クランクはゴム材、樹脂材、金属材、繊維材、木材等で構成される。また表層又は素材には抗菌処理が施されている場合もある。構造上胴部からの取り外し機構や、小型化のための折りたたみ機構を有してもよい。
【００１０】
ペダルはゴム材、樹脂材、金属材、繊維材、木材等で構成され、足の大きさを考慮して縦３０ｃｍ以下、横２０ｃｍ以下、重量を鑑みて高さ５ｃｍ以下の構成が好ましく、サイズや強度に応じて材質を変える。また表層又は素材には抗菌処理が施こすことにより、例えば浴場での黴発生を防止するためには好ましい。構造上クランクからの取り外し機構を有してもよい。ペダルの形状は足のツボを刺激する目的として凸部を有してもよい。また、浴槽内で利用する場合、ペダルの形状により水抵抗が大きくなることを考慮し目的に応じた運動性を変えるペダルに変更することも可能である。例えば、負荷量を上げる場合には水を受ける体積が大きくなるよう面積の大きくし壁面を設けたペダルを有してもよい。
接地部回転機構はゴム材、樹脂材、金属材、繊維材、木材等で構成される。床用接地部、又は、壁用接地部は胴部に対して角度調整が可能な回転機構を使用し胴部に取り付けられていてもよい。これにより、床面又は壁面の形状に合わせることができる。また表層又は素材には抗菌処理が施こすことにより、例えば浴場での黴発生を防止するためには好ましい。
【００１１】
胴部にある複数のクランク取付け部は位置を任意に調整でき、位置を調整した後に固定する機構を有してもよい。また、クランク取り付け部にはクランク回転部が取り付けられる。
接地先端部はゴム材、樹脂材、金属材、繊維材、木材等で構成される。また表層又は素材には抗菌処理が施こすことにより、例えば浴場での黴発生を防止するためには好ましい。接地先端部と床用接地部又は壁用接地部との接続部分は勘合や接着とうで接続され、床用接地部又は壁用接地部から接地先端部が取り外し可能な機構を有してもよい。接地先端部は、滑り止めのため摩擦係数が高い素材、又は、吸盤等の構造上で吸引力を上げる処置が施されていることが望ましい。
【００１２】
クランク回転部は、ゴム材、樹脂材、金属材、繊維材、木材等で構成される。また表層又は素材には抗菌処理が施こすことにより、例えば浴場での黴発生を防止するためには好ましい。クランク回転部は、抵抗部材が設けられてもよい。これにより、室内での使用時又は水中内での使用時に合わせた負荷調整を行うことができる。クランク回転部にはベアリングやギアなどを組み込んでも良い。
ペダル内に通信部と加速度センサーを有し、外部端末へ加速度センサーで得られたデータを送信する構造が好ましい。加速度センサーで得られたデータに基づいて、クランクの回転回数や回転速度は内部または外部端末で演算され、運動状況を把握するために利用される。
各部位は螺子や接着剤、カシメが施され組み立てられる。設置場所に応じて床面接地部と壁面接地部の角度を調整し固定しペダルを漕ぐことで足の回転を前後上下方向への移動を補助することができる。
【発明の効果】
【００１３】
足を前後上下に動かし血行を良くすることができる利点があり、さらに浴槽にて使用する場合は筋肉や関節を柔らかくしつつ負荷を軽減し短時間でさらに血行促進が見込める。
【図面の簡単な説明】
【００１４】
【図１】本発明の運動器具の一実施例を示す斜面図
【図２】図１の運動器具の平面図
【図３】図１の運動器具の横面図
【図４】ペダルに内蔵されたセンサー基板図
【図５】データ通信構成図
【図６】壁面利用時の一実施例を示す図
【図７】浴槽利用時の一実施例を示す図
【図８】本発明を３８度の湯船の中で５分間利用時の血行促進効果を示すサーモグラフィーで得られた図。Ａ：本発明を未使用時の足の温度分布、Ｂ：本発明を使用時の足の温度分布
【図９】胴部と床用接地部と壁用接地部が一体の構成を示す平面図
【図１０】胴部と床用接地部と壁用接地部が一体の構成を示す横面図
【図１１】胴部の中央クランク取付け部で折りたたみができる機構を示す横面図
【図１２】縁を設けたペダル形状を示す図
【図１３】浴槽型運動器具の一実施例を示す横面図
【発明を実施するための形態】
【００１５】
本発明を実施例でもって説明する。
【実施例１】
【００１６】
図１から図３に示す本実施例の運動器具は、床用接地部１と、壁用接地部２と、胴部３などからなり、幅が３０ｃｍ  、高さ（長さ）が３０ｃｍ、重量はおよそ ２ｋｇであり小型かつ持ち運び容易な形で構成している。
床用接地部１は金属と樹脂で成形しており、幅長さが３０ｃｍ、太さ５ｃｍで作られている。表面には抗菌塗装を施している。
床用接地部１は、例えば円弧形状である。断面が、中空状のほぼ円形である。なお、床用接地部１は、図示の例に限定されず、平板部材でもよい。
【００１７】
壁用接地部２は金属と樹脂で成形しており、幅長さが２５ｃｍ、太さ５ｃｍで作られている。表面には抗菌塗装を施している。
壁用接地部２は、例えば円弧形状である。断面が、中空状のほぼ円形である。なお、壁用接地部２は、図示の例に限定されず、平板部材でもよい。
胴部３は金属と樹脂で成形しており、長さが３０ｃｍ、太さ５ｃｍで作られている。表面には抗菌塗装を施している。
【００１８】
胴部３は、例えば四角い形状である。断面が、中空状のほぼ長方形である。
胴部３の一端側に床用接地部１が接続され、他端側に壁用接地部２が接続される。
胴部３と床用接地部１及び壁用接地部２との接続部分において、胴部３には円形状の穴が設けられる。胴部３の穴に分割された床用接地部１及び壁用接地部２が胴部の両側から差し込まれる。
床用接地部１及び壁用接地部２は螺子を利用して胴部３に対して任意の角度で固定されても良いし、床用接地部１及び壁用接地部２の外面と胴部の穴の内面が多角形形状を有して、段階的に胴部に対する床用接地部１及び壁用接地部２の角度が調整可能な機構を有してもよい。
【００１９】
胴部３に設けられる複数のクランク取付け部６は、クランク４の設置位置変更機構を有し、例えば，胴部３の中央部分と、中央部分から７ｃｍ間隔で上下の位置に計３箇所設けられる。例えば、クランク４の設置位置変更機構は、胴部３に切り欠き形状で凹部が構成され、クランク回転部８を凹部に設けた後、蓋をする構成を有する。なお、クランク取付け部６は、図示の例に限定されず、１個所から複数個所のクランク取付け部６、又は、任意の位置に調整できるクランク取付け部６を設けてもよい。
クランク４は長さ６０ｃｍで太さ２ｃｍの円弧形状の金属を曲げて構成しており、１３ｃｍ・１１ｃｍ・１２ｃｍ・１１ｃｍの位置で９０度に曲げ加工を施しクランク４を構成している。表面には抗菌塗装を施している。
ペダル５は抗菌された樹脂材で構成しており、縦４ｃｍ、横１０ｃｍ、高さ３ｃｍで構成し、クランク４へ取り付ける穴を設けている。ペダル５は使用用途に応じて交換可能である。
【００２０】
接地先端部７が滑り止め加工はゴム材を利用しており、水中においても本体が滑らないよう配慮している。また湾曲した面に設置されることも考慮された形状を有している。浮上防止のため接地面は吸盤等の形状を有してもよい。
クランク回転部８は、ベアリングを利用しており水中の水抵抗で負荷を得て利用する構成とする。
【００２１】
図４及び図５に示すように、ペダル５内には加速度センサー９と通信部１０とバッテリー１１が実装された基板を入れており、ペダル５の位置情報を把握するため加速度センサー９を利用し、ペダル５の活動量を通信部１０が外部端末へ送信する機能を有する。外部端末は、例えば、携帯電話、パソコンなどの情報処理装置である。専用のアプリケーションソフトで演算することにより、例えば運動時間の結果や消費カロリーの一回当たりの平均や総消費カロリーや今後の推奨使用スケジュール等を表示できる。
運動器具は、図６及び図７に示すように、床用接地部１が浴槽の床に置かれ、壁用接地部２が浴槽の壁に立て掛けられ、胴部３は斜めに設置される。これにより空間利用性が高くなり、通常の床接地のみの運動器具と比較して胴部３の長さを短く構成することができ、使用者は、通常入浴する姿勢で運動器具を利用することができる。
【００２２】
図８には、本発明を３８度の湯船の中で５分間利用時の血行促進効果を示すサーモグラフィーの結果を示す。浴槽内に入れられた３８℃の湯船に５分間湯船に浸かった際、本発明を使用した場合と未使用の場合の温度分布の比較から、短時間でも足先の温度が２℃向上しており血行の促進の効果が得られることが分かる。
【００２３】
本発明を使用して１０分間運動したときの消費カロリーは、自転車・エアロバイクの１０分間運動した際の消費するカロリー５７ｋｃａｌと湯船に浸かり消費するカロリー３０ｋｃａｌから、８７ｋｃａｌと推定される。１０分間の運動時の消費カロリーを比較すると、ジョギングが消費カロリー９１ｋｃａｌに対し本発明では８７ｋｃａｌとほぼ同等であり、通常の自転車・エアロバイクの消費カロリー５７ｋｃａｌと比較し約１．５倍の効率が見込める。
【実施例２】
【００２４】
図９及び図１０に示す本実施例の運動器具は、上記実施例１では、床用接地部１と、壁用接地部２と、胴部３が別々の構成としていたが、本実施例では胴部３と床用接地部１と、壁用接地部２は一体の構成となっている。これにより、構成する部材を減らすことができより小型で軽量にすることができる。
【実施例３】
【００２５】
図１１に示す本実施例の運動器具は、上記実施例１では、胴部３は曲げ機構を有していないが、胴部３の中央クランク取付け部６で折りたたみができる機構を有している。これにより、全体の長さが短くなりより小型にでき、収納する場所の選択肢を増やすことができる。
【実施例４】
【００２６】
図１２に示す本実施例の運動器具のペダル５は、上記実施例１では、ペダル５は縦４ｃｍ、横１０ｃｍ、高さ３ｃｍの楕円体で構成していたが、縦２５ｃｍ、横１０ｃｍで縁を設けた水中での水を受ける器の形状をしており、水体積量を増やせる構成となっている。これにより水中での水抵抗が増すことで足の運動に対する負荷が上がり、運動効率を高めることができる。
【実施例５】
【００２７】
図１３に示す本実施例の浴槽型運動器具は、胴部３の中央部にクランク４が設けられ、クランク４の両端にペダル５が設けられ、胴部３の一端が浴槽の床に固定され、胴部３の他端が浴槽の壁に固定されている。これにより、浴槽形状で使用できない環境においても運動器具として使用することができる。
この場合、無線通信ではなく安定して通信のできる有線接続で構成でき、ペダルの加速度センサー９で得られた活動量を外部端末に送信することができる。
【００２８】
以上、本発明によれば、以下の効果が得られる。
（１）壁用接地部によって壁に立てかけられているため、前方に押し出すような漕ぐ力が作用しても、運動器具がずれることがなく、胴部の両端を床に接地される場合に比べて、小型に作ることができ、浴槽に入る状態で運動器具を使用することができる。
（２）浴槽で使用するため、背中や腕を付ける壁面があるため、つかむところが別途不要で運動器具を使用することができる。
（３）小型の構成であるため、収納できる場所の候補を増やすことができる。
（４）軽量の構成であるため、携行性が高く利便性が良くなる。
（５）ペダル漕ぎであり臀部を床面に設置して利用する体勢のため、足先を高く上げて行うため水圧によるマッサージ効果を足先まで得ることができる。これにより足のむくみを改善することができる。
（６）浴槽で利用する場合、お湯の温度により毛細血管が広がり、かつ左右の足を交互に動かすことで心臓から押し出される血流を補うことができる。これにより全身の代謝が良くなりカロリー消費以外にも発汗によるダイエット効果を得ることができる。
（７）一般的にお風呂に入る時間が睡眠の前であることが多いため、生活のリズムに運動する機会を設けられ、深い睡眠をすることができる。
（８）加速度センサーを用いて回転数の記録をすることができるため利用者に対し継続させるモチベーションを与えることができる。
【符号の説明】
【００２９】
１．床用接地部
２．壁用接地部
３．胴部
４．クランク
５．ペダル
６．クランク取付け部
７．接地先端部
８．クランク回転部
９．加速度センサー
１０．通信部
１１．バッテリー
【図１】
2017012276.tif 000003
【図２】
2017012276.tif 000004
【図３】
2017012276.tif 000005
【図４】
2017012276.tif 000006
【図５】
2017012276.tif 000007
【図６】
2017012276.tif 000008
【図７】
2017012276.tif 000009
【図８】
2017012276.tif 000010
【図９】
2017012276.tif 000011
【図１０】
2017012276.tif 000012
【図１１】
2017012276.tif 000013
【図１２】
2017012276.tif 000014
【図１３】
2017012276.tif 000015